(57)【要約】【課題】１種類ないし数種類の化粧料を充填する中皿であって、収納部の底面に平面視で所定の振幅を有する波状に形成された凸条を設けることにより、化粧料と中皿との係合保持力と化粧料の一体性を高め、耐衝撃性を向上することができる固形粉末化粧料用中皿の提供。【解決手段】有底皿状に形成された固形粉末化粧料用中皿であって、その収納部内の底部表面には平面視で所定の振幅を有する波状に形成された凸条を設けたことを特徴とする固形粉末化粧料用中皿。【選択図】  図１
2014150949.tif 000002
【特許請求の範囲】
【請求項１】
有底皿状に形成された固形粉末化粧料用中皿であって、その収納部内の底部表面に平面視で所定の振幅を有する波状に形成された凸条を設けたことを特徴とする固形粉末化粧料用中皿。
【請求項２】
前記凸条の波の形状が、その一部に第１の直線要素または第１の接線を形成する曲線要素を含み、かつ、他の部位に第２の直線要素または第２の接線を形成する曲線要素を含み、該第１の直線要素または第１の接線の方向が、該第２の直線要素または第２の接線の方向と直交するものであることを特徴とする請求項１に記載の固形粉末化粧料用中皿。
【請求項３】
前記凸条を、所定の間隔をおいて複数並設したことを特徴とする請求項１または２に記載の固形粉末化粧料用中皿。
【請求項４】
前記凸条の波の形状が、振幅および周期が一定なものであることを特徴とする請求項１ないし請求項３のいずれか１項に記載の固形粉末化粧料用中皿。
【請求項５】
前記凸条が中皿の周壁のいずれかの辺と並行する辺部を有する請求項１ないし請求項４のいずれか１項に記載の固形粉末化粧料用中皿。
【請求項６】
前記凸条の波は、その振幅が０．５ｍｍ〜１０ｍｍの範囲に形成されていることを特徴とする請求項１ないし請求項５のいずれか１項に記載の固形粉末化粧料用中皿。
【請求項７】
前記凸条は、隣接する凸条との間にそれぞれの波の包絡線内の領域が、互いに重ならないように間隔を設けて形成されたものである請求項３ないし請求項６のいずれか１項に記載の固形粉末化粧料用中皿。
【請求項８】
前記凸条の両側には凹部が区画形成されており、該凹部は、その深さが０．１ｍｍ〜１．２ｍｍの範囲に形成されていることを特徴とする請求項１ないし請求項７のいずれか１項に記載の固形粉末化粧料用中皿。  
【請求項９】
前記収納部内には、複数の固形粉末化粧料を仕切るための仕切壁が設けられることを特徴とする請求項１ないし請求項８のいずれか１項に記載の固形粉末化粧料用中皿。
【請求項１０】
前記凹部および、または前記凸条の表面には粗面処理が施されていることを特徴とする請求項１ないし請求項９のいずれか１項に記載の固形粉末化粧料用中皿。
【発明の詳細な説明】
【技術分野】
【０００１】
本発明は、一種類ないし複数種類の固形粉末化粧料を収納するための中皿に関し、更に詳細には、収納部の底面に特定の凸条を設け、該凸条等により凹部を形成することにより中皿と化粧料の係合保持力を高め、化粧料の耐衝撃性を向上することができる固形粉末化粧料用中皿に関する。
【背景技術】
【０００２】
従来、ファンデーションやアイシャドウ、チークカラーなどの固形粉末化粧料を化粧料用中皿に充填収納する場合、落下等により外部から中皿に対して衝撃や振動が加わると、中皿に充填された化粧料にひび割れが生じたり、あるいは、中皿から脱落する場合があった。
【０００３】
そこで、かかる外部からの衝撃による破損・脱落を防ぐべく、特許文献１、２では、中皿の底面や内面全域に凹凸部を形成し、かかる凹凸部のアンカー効果により中皿と化粧料との係合保持力を高めたものが開示されている。
【０００４】
しかしながら、特許文献１に開示されたものは、格子状の突条部により正方形に区切られた凹部を底面に複数並設するというものであり、また、特許文献２のものは、円形もしくは正方形の凹部を中皿の内面全域に複数並設するというものである。しかしながら、これらのものは、正方形や円形に形成されたひとつの凹部が隣接する凹部から分離されており、連続性を持たずにひとつずつ独立した領域とされているため、凹部内に充填された化粧料の下層域における横方向の連続性が寸断され、ひいては、化粧料の下層域と凹部の上方に充填される化粧料上層域との間でも縦方向（厚さ方向）の連続性が寸断されるおそれがあった。そして、化粧料内部においてその連続性が寸断されると、化粧料の一体性が損なわれ、中皿と化粧料との係合保持力が十分に得られない場合があった。
【先行技術文献】
【特許文献】
【０００５】
【特許文献１】実用新案登録第３１３６２３２号
【特許文献２】実開平１−１７５７０８号
【発明の概要】
【発明が解決しようとする課題】
【０００６】
そこで本発明は、従来の中皿のかかる欠点を克服し、収納部の底面に平面視で所定の振幅を有する波状に形成された凸条を設けることにより、化粧料と中皿との係合保持力および化粧料の一体性を高め、耐衝撃性をより向上することができる固形粉末化粧料用中皿の提供をその課題とするものである。
【課題を解決するための手段】
【０００７】
本発明は、上記課題を解決するものであり、有底皿状に形成された固形粉末化粧料用中皿であって、その収納部内の底部表面には平面視で所定の振幅を有する波状に形成された凸条を設けたことを特徴とする固形粉末化粧料用中皿である。
【発明の効果】
【０００８】
本発明にかかる固形粉末化粧料用中皿は、収納部内に所定の振幅を有する波状に形成された凸条を設けることにより中皿との係合保持力を強化するとともに、容器内の化粧料の一体性、とりわけ化粧料の下層域における連続性を極力維持し、外部からの耐衝撃性を向上することができる。
【図面の簡単な説明】
【０００９】
【図１】（ａ）本発明の多色型固形粉末化粧料用中皿の平面図、（ｂ）同Ａ−Ａ’断面図、（ｃ）同凸条部分の一部拡大平面図
【図２】（ａ）本発明の多色型固形粉末化粧料用中皿の凸条の一実施態様、（ｂ）本発明の多色型固形粉末化粧料用中皿の凸条の異なる実施態様、（ｃ）本発明の多色型固形粉末化粧料用中皿の凸条の異なる実施態様、（ｄ）本発明の多色型固形粉末化粧料用中皿の凸条の異なる実施態様、（ｅ）本発明の多色型固形粉末化粧料用中皿の凸条の異なる実施態様
【図３】（ａ）実施例１の多色型固形粉末化粧料用中皿（Ｐ）の平面図、（ｂ）比較例１の多色型固形粉末化粧料用中皿（Ｑ）の平面図、（ｃ）比較例２の多色型固形粉末化粧料用中皿（Ｒ）の平面図、（ｄ）比較例３の多色型固形粉末化粧料用中皿（Ｓ）の平面図
【発明を実施するための形態】
【００１０】
以下、本発明の固形粉末化粧料用中皿の実施態様を、スラリー充填型の固形粉末化粧料、即ち、粉末化粧料組成物を油剤や溶剤によりスラリー状にしたものを中皿に注入し、その後この油剤や溶剤を除去することにより固化させるタイプの固形粉末化粧料を例にとり、図面に基づいて具体的に説明する。なお、本発明はこれら実施態様に何ら制約されるものではない。
【００１１】
図１（ａ）は本発明の多色型固形粉末化粧料用中皿の平面図、図１（ｂ）はそのＡ−Ａ’断面図である。図中、１は中皿、１１は収納部、１２は底部、１３は周壁、１４は凸条、１５は凹部、１６は凸部、１７はスラリー充填孔、１８は仕切壁をそれぞれ示す。
【００１２】
図に示すように、本発明の中皿１は、底部１２の周縁より立設する周壁１３によって内部に化粧料を充填可能な収納部１１を形成する有底皿状に形成された容器である。本実施態様では、中皿１は平面視で略正方形に形成されているが、形状はこれに限らず、長方形、矩形、円形、楕円形など種々の形状に形成しても良い。
【００１３】
本実施態様の中皿１は、複数種類の化粧料を収納可能に設けられた中皿の一態様であり、平面視で収納部１１内を４つに仕切るための仕切壁１８が十字に設けられて４種類の粉末化粧料を収納可能に設けられている。なお、収納される化粧料の種類は本実施態様のように複数に限らず、収納部１１内に仕切壁を設けず１種類の化粧料のみを収納可能としたものであってもよい。また、仕切壁は直線状、曲線状、あるいはそれらの組み合わせからなるものとしてもよく、仕切壁の配置による各種化粧料の配置も特に制限はない。さらに、上記の仕切壁を設けることなく、種類の異なる複数の化粧料を直接隣接させて充填するタイプの中皿であってもよい。
【００１４】
本実施態様の中皿１への化粧料の充填方法としては、収納部１１の底部１２に貫通形成された４箇所のスラリー充填孔１７から収納部１１内へ、それぞれの種類の粉末化粧料組成物を油剤や溶剤によりスラリー状にしたものを注入する方法により充填可能である。また、中皿１内への化粧料の充填方法はかかる中皿底面からのスラリー充填に限らず、上部の中皿開口側からの充填でも良く、溶剤等を用いないプレス充填など、スラリー充填以外の公知の充填方法を採用することができる。ただし、スラリー充填の場合、底面の凹凸構造の隅々まで化粧料組成物を行きわたらせ、凹凸構造による耐衝撃性をより有効に得ることができるので、好ましい。
【００１５】
図１に示すように、中皿１の底部１２の表面には平面視で、４５°の角度で傾斜した仮想の軸線Ｘに対し、一定の振幅Ｗ１を有する頂角９０°の三角波状に形成された凸条１４が延伸して設けられている。かかるひとつの凸条１４には、同様の三角波状に形成された凸条１４が並行して設けられており、並設された複数の凸条１４の間には、平面視で一定の幅と連続性を有する凹部１５が区画形成されている。また、中皿１の底部１２であって、周壁１３や仕切壁１８との境界部分には凸部１６が形成されている。
【００１６】
本態様における凸条１４は、図２（ａ）に示すいわゆる非正弦波の三角波状に形成されているが、この凸条１４は必ずしも本態様のように直線のみから構成される波線でなくても良い。例えば、図２（ｂ）に示す正弦波のように、曲線のみから構成される波線としても良く、あるいは直線と曲線の組み合わせからなる波線としても良い。また、図２（ｃ）矩形波状、（ｄ）のこぎり波状、（ｅ）階段波状等としても良い。さらに、これらの波状はその振幅を必ずしも規則的に揃える必要はなく、振幅が途中で変化するような不規則なものとしてもよい。ただし、振幅および周期が一定である規則的な波状であれば、中皿内において均一な耐衝撃性を得ることができ、より好ましい。
【００１７】
なお、凸条１４が形成する波は、その一部に第１の直線要素または第１の接線を形成する曲線要素を含み、かつ、他の部位にこれらと直交する第２の直線要素または第２の接線を形成する曲線要素を含むことが好ましい。即ち、図２の（ａ）、（ｃ）および（ｅ）で示される波線はいずれも互いに直角である２種の直線要素から形成されており、これによって中皿１の底部１２と平行な二次元平面内において何れの方向から衝撃を受けても、衝撃の方向に依存しない均一な耐衝撃性を得ることができる。また、図２（ｂ）においても正弦波中の２箇所より形成される接線Ｙと接線Ｚとの角度θが９０°で直交しており、凸条１４がこのような２接線を形成する２つの曲線要素を含むことにより、図２（ａ）や図２（ｃ）、（ｅ）と同様に中皿１へ何れの方向から衝撃を受けても均一な耐衝撃性を得ることができる。
【００１８】
また、図１の態様は凸条１４を構成する各辺部が周壁１３の上下辺もしくは左右辺のいずれかと並行して設けられている。このように、凸条１４の少なくともその一部に周壁１３の各辺部と並行する辺部を有することにより、中皿への横方向（周壁１３の各辺部）から衝撃を効果的に吸収するため好ましい。また、凸条１４の延伸方向（軸線Ｘの方向）は、図１のように収納部１１の周壁１３に対して斜めに延伸するように形成しても良いが、周壁１３のいずれかの辺と並行するように設けても良い。例えば、図２（ｃ）の矩形波の凸条の場合、周壁１３のいずれかの辺と並行して延伸するように設けると、凸条を構成するいずれかの辺部が周壁１３の上下辺もしくは左右辺のいずれかと並行するため、緩衝効果の点で好ましい。なお、隣接する軸線Ｘは必ずしも互いに平行である必要はないが、中皿１において耐衝撃性を均一に得るためには平行であることが好ましい。また、軸線Ｘは直線状に限定されず、弧状などの曲線状であっても良い。
【００１９】
凸条１４の波線の振幅Ｗ１は、本発明の効果を有する範囲内であればその寸法が特に限定されるものではないが、アイシャドウやファンデーション等の固形粉末化粧料の中皿においては、充填スペースの広さが一般に１０ｍｍ×１０ｍｍから４５ｍｍ×５０ｍｍ程度の範囲であることから、凸条１４の効果を十分に享受するために振幅Ｗ１を０．５ｍｍ〜１０ｍｍの範囲に設定するのが好ましく、より好ましくは０．７ｍｍ〜７ｍｍ、特に１ｍｍ〜５ｍｍが好ましい。この範囲内であれば、凸条１４を波状に形成することによる、衝撃の方向に依存しない均一な耐衝撃性を得ることができる。なお、ここで振幅Ｗ１とは、波の軸線Ｘから凸条１４の幅の中心線Ｃまでの最大距離をいう。また、凸条１４の幅及び高さについては、化粧料が充填されたときに各凸条が確実に化粧料内に係合し、アンカーの効果を得られる程度に形成されることが好ましく、具体的には、その幅を０．５ｍｍ〜４ｍｍ、特に０．７ｍｍ〜３ｍｍに形成することが好ましい。また、その高さについては、０．１ｍｍ〜１．２ｍｍの範囲に形成することが好ましく、より好ましくは０．３ｍｍ〜０．８ｍｍ、特に０．５ｍｍに形成することが好ましい。
【００２０】
凸条１４、または凸条１４と凸部１６により区画される凹部１５の幅は、一定の幅以下に狭くなった場合、凹部内へスラリー状の粉末化粧料組成物がスムーズに充填されず、凹凸構造への確実な係合効果と耐衝撃性を得ることができないおそれがある。とりわけ、一般に１０μｍ〜２００μｍという大きな長径を有し、板状である光輝性粉体を多く含有する固形粉末化粧料においては、幅の狭すぎる凹部１５では上記凹凸構造への係合効果が特に得られにくい。かかる凹部１５の幅は、並設された２箇所の凸条１４の間隔によって決まるが、少なくとも、２箇所の凸条１４について、それぞれの波の包絡線内の領域Ｗ２が互いに重ならない程度に間隔を設けることが好ましく、そのようにすれば凹部１５内に充填される化粧料の下層域と凹部１５の上方に充填される化粧料上層域との間の縦方向（厚さ方向）の連続性が寸断されにくいものとなって、化粧料の一体性をより良好に確保できる。隣接する２箇所の凸条１４の前記Ｗ２同士の間隔Ｗ３は、好ましくは０ｍｍ〜１５ｍｍ程度であり、１ｍｍ〜１０ｍｍの範囲とすることがより好ましく、特に２ｍｍ〜７ｍｍとすることが好ましい。また、凹部１５の深さについては、化粧料が充填されたときに各凸条が確実に化粧料内に係合し、いわゆるアンカーの効果を得られる程度の深さであり、かつ、底面の凹凸構造が化粧料の取りやすさに支障にならない程度の深さとして０．１ｍｍ〜１．２ｍｍの範囲に形成することが好ましく、より好ましくは０．３ｍｍ〜０．８ｍｍ、特に０．５ｍｍに形成することが好ましい。
【００２１】
以上の通り、所定の振幅を有する三角波状に形成された凸条を設けることにより、化粧料と中皿１の係合保持力が向上するとともに、この凸条により形成される一定の幅と連続性を有する凹部により化粧料の下層域の連続性が維持されるため、収納部の各辺部方向から加えられる衝撃に対しても、より高い耐衝撃性を発揮する。また、凸条１４、凹部１５、またはその両方の表面には、シボ加工等による粗面処理を施してもよい。かかる粗面処理により、収納部１１と化粧料の接着強度がより向上するため好ましい。
【００２２】
本発明の固形粉末化粧料用中皿の材質としては、高密度または低密度のポリエチレン、ポリプロピレン、ポリスチレン、ポリエチレンテレフタレート、ポリエチレンナフタレート、アクリロニトリル−スチレン共重合体、アクリロニトリル−ブタジエン−スチレン共重合体、ポリカーボネート、ポリアミド樹脂（ナイロン等）、ポリアセタール樹脂（ＰＯＭ）、アクリル樹脂等の種々の合成樹脂や、アルミニウム、ステンレス等の金属などを適宜使用することができるが、中皿底面の凹凸構造を精度よく設けるためには、合成樹脂製の中皿とすることが好ましい。
【００２３】
（試験例）
本発明の図３のタイプの中皿で、凸条または凹部の形状を変えた下記（ア）の＜中皿Ｐ＞〜＜中皿Ｓ＞と、凹部（凸条）を設けない＜中皿Ｔ＞について、ひとつの中皿に、体質顔料、着色顔料、光輝性顔料、非イオン性界面活性剤および油剤からなる組成で、互いに顔料組成を変えた４種類の粉末化粧料を、（イ）の製法にて充填・成形し、多色型固形粉末化粧料を調製した。その後、これらの各サンプルについて耐衝撃性を落下試験により評価した。
（ア）中皿
＜中皿Ｐ＞（実施例１）
収納部内に三日月状および該三日月の下辺より周壁に延伸する仕切壁を設け、４種類の化粧料を収納可能な中皿を準備し、該収納部底部の左上から右下方向にかけて周壁の左右辺もしくは上下辺と並行する辺を有する三角波状に形成した凸条を複数本並設し、これにより、連続性を有する波状（階段状）の凹部を形成した（図３ａ）。（凸条の高さ０．５ｍｍ、凸条の幅１．０ｍｍ、隣接する凸条の間隔（軸線どうしの間隔）６．８ｍｍ、（包絡線内領域どうしの間隔）２．６ｍｍ、三角波の頂角９０°、三角波の振幅１．３ｍｍ）
＜中皿Ｑ＞（比較例１）
実施例と同様の仕切壁を有する４種類の化粧料を収納可能な中皿を準備し、該収納部底部に円形に形成された複数の凹部を等間隔に斜めに連続して並設した（図３ｂ）。（凹部の深さ０．５ｍｍ、円形凹部の直径３．７５ｍｍ、隣接する凹部どうしの最短間隔１．０ｍｍ）
＜中皿Ｒ＞（比較例２）
実施例と同様の仕切壁を有する４種類の化粧料を収納可能な中皿を準備し、該収納部底部に長方形に形成された凹部を縦横交互に配置した（図３ｃ）。（凹部の深さ０．５ｍｍ、長方形凹部の寸法（代表）７．５ｍｍ×３．７５ｍｍ、隣接する凹部どうしの最短間隔１．０ｍｍ）
＜中皿Ｓ＞（比較例３）
実施例と同様の仕切壁を有する４種類の化粧料を収納可能な中皿を準備し、該収納部底部に横方向に延伸する棒状の凸条を複数本並設し、これにより、周壁の上下辺と並行する長方形の凹部を複数並設した（図３ｄ）。（凸条の高さ（凹部の深さ）０．５ｍｍ、凸条の幅１．０ｍｍ、凸条どうしの間隔３．７５ｍｍ）
＜中皿Ｔ＞（比較例４）
実施例と同様の仕切壁を有する４種類の化粧料を収納可能な中皿を準備し、該収納部底部に凸条および凹部を設けず平坦とした。
（イ）製法
ａ．体質顔料、着色顔料および光輝性顔料を高せん断ミキサーで混合する。
ｂ．非イオン性界面活性剤および油剤を均一に加温混合する。
ｃ．ａをミキサーで攪拌しながら、ｂを添加し、均一分散する。
ｄ．ｃを揮発性の溶剤と混合し、スラリー状とする。
ｅ．＜中皿Ｐ＞〜＜中皿Ｓ＞および＜中皿Ｔ＞の仕切壁で区画された４つの区画内に、中皿底部の充填孔から上記４種類の化粧料ｄをそれぞれ流し込み、圧縮成形する。その後、乾燥固化して、４色が収納された多色型固形粉末化粧料を得た。
【００２４】
（評価方法）
それぞれ４種類の固形粉末化粧料を充填・収納した＜中皿Ｐ＞〜＜中皿Ｓ＞および＜中皿Ｔ＞の各サンプルから５個ずつを選び、開閉自在な蓋部を有する化粧料容器本体に収納した。次にこれを、蓋部の蝶番から開閉フックに至る方向に対し垂直な、容器のサイド側の側面部を下にして、硬板上へ８０ｃｍ、９０ｃｍの各高さから落下させた。５個のサンプルについて落下による変化（壊れ、剥れ、ひび、片寄り）の有無を調べ、その程度に従って下記判定基準により耐衝撃性を評価した。
◎：５個とも全く変化がない
○：５個のうち１個に変化がある
△：５個のうち２個に変化がある
×：５個のうち３個以上に変化がある
（評価結果）
（中皿）          （高さ８０ｃｍ）      （高さ９０ｃｍ）
＜中皿Ｐ＞                ◎                    ◎
＜中皿Ｑ＞                ◎                    △
＜中皿Ｒ＞                ○                    △
＜中皿Ｓ＞                ×                    △
＜中皿Ｔ＞                ○                    ×
【００２５】
以上のとおり、＜中皿Ｐ＞については、いずれの高さからの落下に対しても結果は  ◎  であり、極めて優れた耐衝撃性を示した。
【００２６】
本発明の固形粉末化粧料用中皿は、ファンデーションやアイシャドウ、チークカラー、あるいはこれらを組み合わせた化粧料など、固形粉末化粧料用の中皿として有効に利用できるものであり、これをコンパクト容器等の外装容器に公知の方法により装着・収納し、製品とすることができる。また、本発明の固形粉末化粧料用中皿の外周を装飾し、強化する、あるいは蓋を装着すること等により、当該中皿自体を容器として製品化することも可能である。
【符号の説明】
【００２７】
１  …  …  中皿
１１  …  …  収納部
１２  …  …  底部
１３  …  …  周壁
１４  …  …  凸条
１５  …  …  凹部
１６  …  …  凸部
１７  …  …  スラリー充填孔
１８  …  …  仕切壁
Ｃ  …  …  中心線
Ｘ  …  …  軸線
Ｙ  …  …  接線
Ｚ  …  …  接線
Ｗ１  …  …  波線の振幅
Ｗ２  …  …  波の包絡線内の領域
Ｗ３  …  …  隣接するＷ２同士の間隔
【図１】
2014150949.tif 000003
【図２】
2014150949.tif 000004
【図３】
2014150949.tif 000005